(57)【特許請求の範囲】
【請求項１】
歯茎上の所定位置に設置・固定され所定の内径であって所定の方向に指向したガイド孔を備えたガイドリングと、
回転切削工具を回転可能に備えるとともに上記ガイドリングの内径に対して略一致した外径を備えたガイド部材を上記回転切削工具の外周側に隙間を存した状態で備え、上記ガイド部材を上記ガイドリング内に嵌合させた状態で回転切削工具による顎骨に対する穿孔を行なう穿孔器具と、
上記ガイド部材に設けられ注水をガイド部材内に導くための注水孔と、
を具備したことを特徴とするインプラント用孔穿孔装置。
【請求項２】
請求項１記載のインプラント用孔穿孔装置において、
上記ガイド部材の先端は斜めに切り落とされていて、そこから注水できるように構成されていることを特徴とするインプラント用孔穿孔装置。
【発明の詳細な説明】
【０００１】
【発明が属する技術分野】
本発明は、例えば、歯科におけるいわゆる「インプラント（人工歯根）治療」に際して、インプラントを埋め込む為の孔を顎骨の所望の位置に正確に穿孔することを可能にする骨穿孔装置に関する。
【０００２】
【従来の技術】
例えば、歯科における「インプラント治療」とは、人工歯を「入れ歯」として取り付ける場合に採られる方法の一つであり、顎骨の所定箇所にインプラント埋め込み用孔を穿孔し、該インプラント埋め込み用孔内に金属性のインプラントを埋め込む。そして、そのインプラントに対して、各種金具を介して、人工歯を取り付けるものである。
【０００３】
【発明が解決しようとする課題】
上記従来の「インプラント治療」においては次のような問題があった。
まず、インプラントを埋め込む場合には、予めＣＴ撮影を行って、インプラント埋め込み用孔の位置を特定しておく。すなわち、神経や他の歯との関係で最も都合が良い位置を特定し、そこをインプラント埋め込み用孔とするものである。インプラント埋め込み用孔の位置が決定されたら、後は、穿孔器具によってそこに穿孔を施し所望の孔を形成することになる。
しかしながら、ＣＴ撮影によって最も都合が良い孔を特定しても、実際の穿孔作業時に位置がずれてしまうことがあり、所望のインプラント埋め込み用孔を正確に形成することができないという問題があった。これは、例えば、サージカルステント（SURGICAL STENT) に形成したガイド孔と穿孔器具側の回転切削工具としてのドリルとの間に遊びがあるためである。
そてし、インプラント埋め込み用孔の位置がずれてしまったような場合には、その後の工程においてこれを修正する作業が必要となり、煩雑な作業を余儀無くされるとともに、作業に熟練と長い時間を要してしまうという問題があった。
又、上記問題に対しては、例えば、サージカルステントに形成するカイド孔を小さくして、ドリルとの遊びをなくすように構成することが考えられる。しかしながら、そもそも上記サージカルステントのガイド孔に沿って穿孔する場合に、サージカルステントを傷付けることがあり、そのときの削り粉等がインプラント埋め込み用孔内に侵入して、それが原因で正常なインプラント埋設構造が損なわれることがある。したがって、カイド孔をより小さくした場合には、この問題がより顕著なものとなってしまうことになる。
又、上記問題を解決するものとして、各種のガイド装置が提案されているが、何れも、作業に熟練を要すると共にその後の補正作業を含めると長い作業時間を必要とし、作業効率が悪いといった問題があった。
【０００４】
本発明はこのような点に基づいてなされたものでその目的とするところは、例えば、歯科における「インプラント治療」に際して、インプラント埋め込み用孔を所望の位置に正確に形成することを可能とする骨穿孔装置を提供することにある。
【０００５】
【課題を解決するための手段】
上記目的を達成するべく本願発明の請求項１によるインプラント用孔穿孔装置は、歯茎上の所定位置に設置・固定され所定の内径であって所定の方向に指向したガイド孔を備えたガイドリングと、回転切削工具を回転可能に備えるとともに上記ガイドリングの内径に対して略一致した外径を備えたガイド部材を上記回転切削工具の外周側に隙間を存した状態で備え、上記ガイド部材を上記ガイドリング内に嵌合させた状態で回転切削工具による顎骨に対する穿孔を行なう穿孔器具と、上記ガイド部材に設けられ注水をガイド部材内に導くための注水孔と、を具備したことを特徴とするものである。
又、請求項２によるインプラント用孔穿孔装置は、請求項１記載のインプラント用孔穿孔装置において、上記ガイド部材の先端は斜めに切り落とされていて、そこから注水できるように構成されていることを特徴とするものである。
【０００６】
【作用】
すなわち、予め所定の内径を備えたガイド孔を穿孔対象物側に設けておき、そこにガイド孔の内径に対して略一致した外径を備えたガイド部材を挿入した状態で回転切削工具を回転させて穿孔作業を行うものであり、それによって、穿孔器具側の「ぶれ」や「位置ずれ」をなくして、所望の場所に孔を正確に穿孔・形成することを可能にするものである。
【０００７】
【発明の実施の形態】
以下、図１乃至図４を参照して本発明の一実施の形態を説明する。この実施の形態は、本発明を、歯科における「インプラント治療」に適用した例を示すものである。まず、歯科における「インプラント治療」の概略に関して、図１を参照して説明する。図１は、人工歯を入れ歯として取り付ける為の構造を示すものであって、まず、顎骨１にはインプラント埋め込み用孔３が穿孔・形成されている。このインプラント埋め込み用孔３に金属性のインプラント５が埋め込まれている。このインプラント５は、外周面に雄螺子部７を備えていて、又、内周面には図示しない雌螺子部を有している。又、上記雄螺子部７はタップ機能を備えているものであって、上記インプラント埋め込み用孔３に対して、インプラント５を回転させながら押し込んでいくことにより、インプラント埋め込み用孔３に対して螺合・接合されていくものである。
尚、上記雄螺子部７として、タップ機能を備えていないものであってもよい。又、上記顎骨１の外周には歯茎９が被冠されている。
【０００８】
上記インプラント５にはアバットメントスクリュ１１が取り付けられる。このアバットメントスクリュ１１は、下部に雄螺子部１３を備えていて、この雄螺子部１３を、インプラント５の雌螺子部に螺合させていくことにより、インプラント５に螺合・接合されることになる。又、上記アバットメントスクリュ１１の外周にはアバットメント１５が被冠されている。又、上記アバットメントスクリュ１１の上部内周部には図示しない雌螺子部が設けられている。そして、上記アバットメントスクリュ１１の外周にはゴールドシリンダ１７が被冠されるとともに、上記雌螺子部にはリテイニングスクリュ１９が螺合・接合される。すなわち、このリテイニングスクリュ１９は雄螺子部２１を備えていて、この雄螺子部２１を上記アバットメントスクリュ１１の図示しない雌螺子部に螺合していくことにより、アバットメントスクリュ１１に螺合・接合されるものである。
【０００９】
一方、人工歯２３（図１中仮想線で示す）があり、この人工歯２３は図示するように、ゴールドシリンダ１７の回収側に固定されていて、上記リテイニングスクリュ１９をアバットメントスクリュ１１の雌螺子部に螺合することにより、アバットメントスクリュ１１に取付・固定されることになる。
因に、上記のような人工歯構造においては、過大な力が作用した場合には、まず、リテイニングスクリュ２１が破損し、次いで、アバットメントスクリュ１１が破損する。そして、最後にインプラント５が破損することになる。つまり、インプラント５に対しては、過大な力が極力作用しない構造になっていて、その健全性を長期にわたって維持できるようになっている。
【００１０】
次に、インプラント埋め込み用孔３を形成する穿孔作業に関して説明する。穿孔作業に先立って、まず、図２に示すようなサージカルステント（SURGICAL STENT) ３５の作成が行われる。上記サージカルステントは、例えば、プラスチックスにバリウム粉を混在させて製作されたものであり、ＣＴ撮影時に不透過像としてあらわれるものである。すなわち、型取り作業に基づいて製作するものであり、このサージカルステント３５は、歯茎９に被冠される基端部３７と、実際に取り付けられる人工歯２３と全く同じ形状をなす歯部３９とから構成されている。そして、このようなサージカルステント３５を取り付けた状態でＣＴ撮影を行う。そのＣＴ撮影に基づいて、顎骨１に対する穿孔箇所を特定し、その穿孔箇所に合致するような位置に所定の径の孔４１を穿孔・形成するものである。又、ここで重要なことは、上記サージカルステント３５を固定した時点で、インプラント５の埋め込み方向が決定されるとともに、使用されるアバットメント８が決定されることである。そして、インプラント５を埋め込む為のインプラント埋め込み用孔３の穿孔・形成が正確に行われれば、上記決定された埋め込み方向も正確なものとなり、且つ、使用されるアバットメント８の変更もないことになる。
尚、顎骨１に対する穿孔箇所の特定に際しては、例えば、ＣＴ撮影によって神経の位置を確認して、そこを外すような位置を穿孔箇所としたり、或いは、他の歯との関係で穿孔箇所を特定したりするものである。
【００１１】
次に、上記サージカルステント３５の孔４１に所定の内径のガイド孔を備えたガイドリング４３を取付・固定する。そして、サージカルステント３５から歯部３９を撤去するとともに、切断線Ａ、Ｂに沿って切断作業を施して、上記ガイドリング４３及びその周囲の部分のみを残す。そして、そのような状態のサージカルステント３５を、図３に示すように、残存歯６を利用して固定する。
尚、残存歯が存在しない場合には、顎骨１の顎堤に図示しないバトブロックを利用して固定する。
【００１２】
次に、穿孔装置の構成を説明する。穿孔作業は図４に示すような骨穿孔装置２７を使用して行われる。まず、穿孔器具２９があり、この穿孔器具２９は先端に回転切削工具としてのドリル工具３１を備えている。上記ドリル工具３１の外周にはガイド部材３３が、ドリル工具３１に対して非接触の状態で取り付けられている。上記ガイド部材３３の先端は斜めに切り落とされたような形状になっているとともに、円筒部には複数の注水孔３４が形成されている。
尚、ガイド部材３３の下端を切り落としたことによっても注水機能を得ることができる。
【００１３】
一方、歯茎９はその一部が切開されて捲れた状態になっていて、その位置の顎骨１が露出した状態になっている。又、露出した顎骨１の上方には、前述したように、サージカルステント３５が取付・固定されている。
【００１４】
又、ガイドリング４３は、ガイド部材３３の外径に対して略一致するような内径を備えていて、ガイド部材３３を挿入した場合に、遊びが殆ど存在しないような嵌め合い状態を提供するものである。そして、穿孔作業を行う場合には、ガイド部材３３をガイドリング４３内に挿入して、その位置（半径方向の位置）を固定した状態とする。その状態で、ドリル工具３１を回転させて、顎骨１に対して穿孔作業を施す。
その際、注水を行ない、注水された水は、注水孔３４を介して、ガイド部材３３とドリル工具３１との間に導入され、それによって、穿孔時の除熱、切削物の排除がなされる。
又、ガイド部材３３の先端が斜めに切り落とされているので、そこからも注水の水が導入されるとともに、切削物の排除がなされる。
尚、ガイドリング４３、ガイド部材３３の材質としては、これを特に限定するものではないが、例えば、ステンレス、チタン等の材質が好ましい。又、各部の寸法は任意に決定すればよい。
【００１５】
以上本実施例によると次のような効果を奏することができる。
まず、ガイドリング４３があって、そこにガイド部材３３を挿入することにより、ガイド部材３３の半径方向の位置が固定され、半径方向に対してその位置がずれるようなことがなくなる。よって、顎骨１に対して所定位置に所定の孔３を正確に穿孔・形成することが可能となる。したがって、作業に熟練を要することもなく、且つ、長時間を要することなく、孔３を正確に穿孔・形成することができるようになり、「インプラント治療」そのものが容易になる。
又、孔３が正確に穿孔・形成されることにより、従来のように、その後の作業において、これを修正するような必要もなくなり、作業の効率化を図ることができる。
又、注水時における注水効果に関しても、注水孔３４があり、且つ、ガイド部材３３の先端が斜めに切り落とされているので、充分なものとなる。
又、ガイド部材３３の長さを所定長さに決定することにより、先端部において、突出するドリル工具３１の長さが決定されるので、それによって、穿孔深さを一義的に決定することができ、それによっても、作業が容易なものとなる。
又、従来のように、穿孔時にサージカルステントを傷付けるようなこともないので、それに起因した問題も発生しないものである。
【００１６】
尚、本発明は前記一実施の形態に限定されるものではない。
前記一実施の形態においては、歯科における「インプラント治療」を例にとって説明したが、他の部位、例えば、大腿骨等他の骨に対して穿孔作業を施すような場合にも同様に適用可能である。
ガイド部材、ガイドリングの径、形状、大きさは任意に決定すれば良い。
又、前記一実施の形態においては、ガイド部材３３をドリル工具３１とは別体に設けたが、例えば、ドリル工具３１の基端部を大径化してカイド部材とし一体化させるようにしてもよい。
又、前記一実施の形態においては、カイドリングを設け、該ガイドリングに所定の径のカイド孔を形成したが、例えば、サージカルステント側の孔を所定の径とすることにより、それをガイド孔として使用してもよい。
【００１７】
【発明の効果】
以上詳述したように本発明による穿孔装置によると、ガイド孔とカイド部材を設けたことにより、所定箇所に所定の孔を正確に穿孔・形成することができるようになり、作業効率を向上させることができる。
又、注水孔を設け、ガイド部材の先端を斜めに切り落とすことにより、高い注水効果を期待できる。
又、ガイド部材の長さを所定長さに設定することにより、突出するドリル工具の長さを一義的に決定することができ、それによって、穿孔深さを所定の値にすることができる。
又、歯科における「インプラント治療」に適用した場合には、該「インプラント治療」を容易なものとすることができる。
【図面の簡単な説明】
【図１】本発明の一実施の形態を示す図で、歯科における「インプラント治療」のためのインプラント構造を示す断面図である。
【図２】本発明の一実施の形態を示す図で、歯科における「インプラント治療」のためのサージカルステントの構成を示す断面図である。
【図３】本発明の一実施の形態を示す図で、歯科における「インプラント治療」のためのサージカルステントの構成を示す平面図である。
【図４】本発明の一実施の形態を示す図で、歯科における「インプラント治療」のためのインプラント埋め込み用孔の穿孔・形成作業の様子を示す断面図である。
【符号の説明】
１  顎骨
３  インプラント埋め込み用孔
５  インプラント
９  歯茎
２７  穿孔装置
２９  穿孔装置本体
３１  ドリル工具
３３  ガイド部材
３５  サージカルステント
４１  孔
４３  ガイドリング
【図１】
0003793603.tif 000002
【図２】
0003793603.tif 000003
【図３】
0003793603.tif 000004
【図４】
0003793603.tif 000005